(57)【要約】【課題】小型の操作表示パネルにも係わらず、小型化前と変らない多種の表示機能とタッチ入力機能が備わるインクジェット記録装置を提供することを目的とする。【解決手段】被印字物に文字を印字するインク粒子が噴射されるノズルと、被印字物に向けて飛行するインク粒子に電荷を帯させる帯電電極と、帯電した前記インク粒子の飛行に偏向を与える偏向電極と、表示機能とタッチ入力機能が兼ね備わる操作表示パネルと、表示および入力の処理制御をする制御部を有するインクジェット記録装置において、操作表示パネルは、文字、数字、記号等の一括表示や各種入力モードの表示が切り替わり表示される一括表示／モード表示タッチ入力画面領域と、「運転」の表示、停止の表示を含む個々の表示が並ぶ運転指示表示タッチ入力画面領域を有し、運転指示表示タッチ入力画面領域の前記「運転」の表示は、運転の開始を指示するタッチ入力が行われる前に示され、運転開始のタッチ入力により「制御」の表示に変わることを特徴とする。【選択図】図１
2005305896.tif 000002
【特許請求の範囲】
【請求項１】
被印字物に文字を印字するインク粒子が噴射されるノズルと、被印字物に向けて飛行するインク粒子に電荷を帯させる帯電電極と、帯電した前記インク粒子の飛行に偏向を与える偏向電極と、表示機能とタッチ入力機能が兼ね備わる操作表示パネルと、表示および入力の処理制御をする制御部を有するインクジェット記録装置において、
前記操作表示パネルは、文字、数字、記号等の一括表示や各種入力モードの表示が切り替わり表示される一括表示／モード表示タッチ入力画面領域と、「運転」の表示、停止の表示を含む個々の表示が並ぶ運転指示表示タッチ入力画面領域を有し、
前記運転指示表示タッチ入力画面領域の前記「運転」の表示は、運転の開始を指示するタッチ入力が行われる前に示され、運転開始のタッチ入力により「制御」の表示に変わることを特徴とするインクジェット記録装置。
【請求項２】
請求項１記載のインクジェット記録装置において、
前記一括表示／モード表示タッチ入力画面領域に表示される前記文字のアルファベット配列はＪＩＳに制定するところのクオリテイ（ＱＷＥＲＴＹ）配列に則とることを特徴とするインクジェット記録装置。
【請求項３】
請求項２記載のインクジェット記録装置において、
前記一括表示／モード表示タッチ入力画面領域に表示された文字、数字、記号等の一括表示を切り替える切替用タッチ入力キーが一括表示のＭ文字右隣でＬ文字下隣に位置することを特徴とするインクジェット記録装置。
【発明の詳細な説明】
【技術分野】
【０００１】
本発明は、ノズルから噴射するインク粒子で被印字物に文字を印字するインクジェット記録装置に関する。
【背景技術】
【０００２】
インクジェット記録装置の本体には、操作表示パネルが備わる。この操作表示パネルは、液晶のタッチパネルで形成され、表示機能とタッチ入力機能が兼ね備える。この操作表示パネルを有するインクジェット記録装置は、例えば、特許文献１に記載されている。
【０００３】
【特許文献１】特開平１０−４０２３７号公報
【発明の開示】
【発明が解決しようとする課題】
【０００４】
このインクジェット記録装置は、小型化が求められている。この小型軽量化に伴い、操作表示パネルも小型になるが、表示機能とタッチ入力機能に関しては小型化前の機能が要求される。
【０００５】
本発明は、前記の要求に対処し、小型の操作表示パネルにも係わらず、小型化前と変らない多種の表示機能とタッチ入力機能が備わるインクジェット記録装置を提供することを目的とする。
【課題を解決するための手段】
【０００６】
本発明は、被印字物に文字を印字するインク粒子が噴射されるノズルと、被印字物に向けて飛行するインク粒子に電荷を帯させる帯電電極と、帯電した前記インク粒子の飛行に偏向を与える偏向電極と、表示機能とタッチ入力機能が兼ね備わる操作表示パネルと、表示および入力の処理制御をする制御部を有するインクジェット記録装置において、操作表示パネルは、文字、数字、記号等の一括表示や各種入力モードの表示が切り替わり表示される一括表示／モード表示タッチ入力画面領域と、「運転」の表示、停止の表示を含む個々の表示が並ぶ運転指示表示タッチ入力画面領域を有し、運転指示表示タッチ入力画面領域の前記「運転」の表示は、運転の開始を指示するタッチ入力が行われる前に示され、運転開始のタッチ入力により「制御」の表示に変わることを特徴とする。
【発明の効果】
【０００７】
本発明によれば、「運転」と「制御」が操作表示パネルの運転指示表示タッチ入力画面領域の同じ位置に切り替え表示されるので、小型の操作表示パネルにも係わらず、小型化前と変らない多種の表示機能とタッチ入力機能を備えることができる。
【発明を実施するための最良の形態】
【０００８】
以下、本発明の実施形態に係わる実施例について図面に沿って説明する。
【０００９】
まず、図１に示すインクジェット記録装置の制御回路について述べる。
【００１０】
全体制御部１は、印字データの内容やインクジェット記録装置への動作指示などを含む入力をパソコン等の入力部２より受ける。表示部３は、入力された印字データの内容、インクジェット記録装置の状態、インクジェット記録装置の操作メニューを含む種々の内容を表示する。印字データ管理部４は印字データを管理し、全体の制御部１に印字データを提供する。
【００１１】
印字データ記憶部５は印字データを格納し、印字データ管理部４と印字データのやり取りをする。印字制御部６は、印字データ記憶部５から印字データを受け、印字の制御を行う。被印字物検知部７はセンサーからの信号を受信し、印字制御部６に通知する。印字制御部６は、文字信号発生部８を制御し、印字が行われる。印字制御部６の印字制御は、被印字物検知部７からの信号をトリガーとして行われる。
【００１２】
インク噴出機構の一例を生産ラインと併せて図２に沿って説明する。
【００１３】
被印字物２０は、生産ラインのコンベア２１によって搬送される。
【００１４】
被印字物検知部７のサンサー２２が被印字物２０を検出すると、被印字物検知部７は、被印字物検知信号を印字制御部６へ送信する。文字信号発生部８は、受信した印字内容を文字信号に変換し、帯電電極２３へ送る。供給ポンプ２４は、インク容器２５から配管チューブ２６を通して、ノズル２７よりインクを噴出する。噴出されたインクは帯電電極２３内で粒子化し帯電を受け、偏向電極２８により偏向され、コンベヤ２１によって搬送される被印字物２０へインク粒子が飛行，付着し印字される。印字に使用されなかったインク粒子はガター２９より回収され、回収ポンプ３０によってインク容器２５へ戻される。
【００１５】
次に、図３〜図７に沿って操作表示パネルの画面表示を中心に説明する。
【００１６】
操作表示パネル４０は、インクジェット記録装置の本体に備えられる。操作表示パネル４０は、表示機能とタッチ入力機能を兼ね備え、大きく捉えると、一括表示／モード表示タッチ入力画面領域４０Ａ、運転指示表示タッチ入力画面領域４０Ｂに区画される。
【００１７】
一括表示／モード表示タッチ入力画面領域４０Ａは、タッチ入力する英文字（２６文字）、数字、記号等を夫々まとめて一括表示する。また、「英文字」のモード表示、「数字」のモード表示、「記号」のモード表示が切り替わって表示される。表示された文字や数字は、各字毎に入力キーの機能を有する。文字や数字の上から押すことで、文字や数字の入力が行われる。
【００１８】
運転指示表示タッチ入力画面領域４０Ｂは、「運転」、「停止」、「カーソル」、「挿入」等が区分表示され、それぞれが区分毎に入力キーの機能を有する。
【００１９】
図３の（１）は、インクジェット記録装置の電源が入れられたときの初期画面で、各機能画面へ移行する移行メニュー画面でもある。
【００２０】
この初期画面の構成について説明する。
【００２１】
一括表示／モード表示タッチ入力画面領域４０Ａには、桁表示部５０、印字する内容の印字内容表示部５１、表示モード選択部５２が配置される。桁表示部５０、印字する内容の印字内容表示部５１は、表示機能を有する。表示モード選択部５２は、表示機能とタッチ入力するキーとしての機能も備わる。
【００２２】
一括表示／モード表示タッチ入力画面領域４０Ａの左上部には「印字内容」が、左上部には「状態：休止」が表示される。この「状態」は、インクジェット記録装置の現在状態を示す。「休止」の状態は、インク粒子の噴出が止まっている。
【００２３】
図３の（１）で、運転指示表示タッチ入力画面領域４０Ｂの「運転」と表示されている区分の入力キーを押すと、図３の（２）に移行する。図３の（２）は、制御メニューの画面である。この制御メニューの画面では、運転指示表示タッチ入力画面領域４０Ｂの表示が消え、操作表示パネル４０の下側に「運転」、「インク噴出」、「取消」が表示される。操作表示パネル４０の中央には、「運転」、「インク噴出」に関する動作の内訳が表示される。
【００２４】
図３の（２）で、「運転」と表示されている区分の入力キーを押すと、図３の（３）に移行する。この表示画面では、「状態」が「印字可能」になり、ノズル２７からインク粒子の噴出が始まる。ただし、帯電電極２３や偏向電極２８に電圧が印加されないので、インク粒子はガター２９に全て回収される。また、運転指示表示タッチ入力画面領域４０Ｂでは、先に「運転」の表示がされたところが「制御」の表示に切り替わり、「制御」の右隣に「休止」が表示されるようになる。
【００２５】
図３の（３）で、「制御」と表示されている区分の入力キーを押すと、図３の（４）に移行する。この制御メニューの画面で、「無洗浄停止」と表示されている区分の入力キーを押すと、図３の（５）に移行する。図３の（５）の表示画面は、図３の（１）と同じインクジェット記録装置の休止状態である。インク粒子の停止は、数分の時間経過を経て停止に至る。
【００２６】
図３の（１）〜図３の（４）に示されたように、運転指示表示タッチ入力画面領域４０Ｂの表示は変わるのであるが、「運転」と「制御」の表示は同じ区分の位置に切り替わり表示される。このため、小型の操作表示パネルにも係わらず、小型化前と変らない多種の表示機能とタッチ入力機能を備えることができる。
【００２７】
また、「停止」の表示は、印字可能の状態のときだけに表示するようにし、常に全部を表示するのを避けて、必要な表示を必要な段階で表示するようにして操作表示パネルの操作性を高めた。
【００２８】
文字の入力について、図４、図５、図６、図７に沿って説明する。
【００２９】
図４の（１）の表示画面は、図３の（１）で「文字入力」が表示されている入力キーを押すことにより切り替えられる。この図４の（１）の表示画面では、インクジェット記録装置は「スタンバイ」の状態になっている。「スタンバイ」の状態は、インク粒子が噴出しているが、印字可能の状態ではない。印字可能の状態は、被印字物検知部７がセンサー２２からの信号を受信すると、印字が行われる。休止の状態は、インク粒子の噴出が行われていない。
【００３０】
さて、図４の（１）の表示画面の状態で、「文字入力」が表示されている入力キーを押すと、図４の（２）の表示に移行する。この図４の（２）に示す文字入力画面は、数字の文字を入力する画面になっている。運転指示表示タッチ入力画面領域４０Ｂの数字記号の表示がある表示区分は鮮明な表示になっている。入力キーの数字は、一括表示／モード表示タッチ入力画面領域４０Ａの表示モード選択部５２のところに切り替わって表示される。
【００３１】
この文字入力画面で数字の入力が行われる。入力された数字は、印字内容表示部５１に表示される。文字のレイアウトを含む編集も印字内容表示部５１で行う。
【００３２】
数字記号の表示の右隣にあるカーソルのキーは、桁表示部５０に表示される数字の桁数を変えるのに用いる。英字の表示の右隣にあるカーソルのキーは、印字内容表示部５１に表示される文字の作成に用いる。登録の表示の右隣にある挿入のキーは、文字の挿入する前に押すことにより挿入機能が生ずる。
【００３３】
図４の（３）の表示画面は、英文字の入力画面である。図４の（２）で、運転指示表示タッチ入力画面領域４０Ｂの「英文字」と表示されている入力キーを押すことで、英文字の入力画面に切り替わる。「英文字」の表示が鮮明になる。これと入れ替わるように数字記号の表示がある表示区分は、他の表示区分と同様にハーフトーンに変化する。
【００３４】
アルファベットの英文字は、２６文字が一括して表示される。この一括表示／モード表示タッチ入力画面領域に表示されるアルファベット文字の配列はＪＩＳに制定するところのクオリテイ（ＱＷＥＲＴＹ）配列に従う。このクオリテイ（ＱＷＥＲＴＹ）配列は、パソコン等のキィーボードと同じ配列で操作性が良く、文字の入力ミスも少ない使い勝ってが良いものである。
【００３５】
図４の（４）の表示画面は、小文字の英文字の入力画面である。この小英文字の入力の表示画面は、図４の（３）ので、「切替え」のキーを押すことにより切り替わる。「切替え」のキーの表示は、鮮明な表示になる。
【００３６】
図４の（４）の表示画面で、「切替え」のキーを押すことに図４の（３）に示す大文字の英文字の入力画面に戻る。
【００３７】
図５の（１）に示す数字の入力画面は、数字記号の表示がある表示区分を押すことにより得られる。この入力画面で、「切替え」のキーを押すことにより、図５の（２）に示す記号の入力画面に替わる。「切替え」のキーの表示は、鮮明な表示になる。
【００３８】
図５の（２）に示す入力画面で、「切替え」のキーを押すことにより、図５の（３）に示す半角記号の入力画面に替わる。
【００３９】
図６の（１）に示す二桁数字の入力画面は、「登録」の表示がある表示区分を押すことにより得られる。「登録」の表示は鮮明になる。この図６の（１）で、「切替え」のキーを押すことにより、図６の（２）に示す表示に替わる。図６の（２）に示す表示も二桁数字であるが、上の数字になっている。この二桁数字は、予め作って登録した内容を呼び出すよう仕組みになっている。
【００４０】
図７は、年.月.日や時刻等を表示する。この図７は「特殊」の表示ある表示区分を押すことにより得られる。
【００４１】
このように数字、文字、記号等を含む文字の入力画面（図４〜図７）は、表示モード選択部５２に切り替わり表示される。つまり、入力に必要な入力画面を選択して表示するようにしたので、操作表示パネルが小型であるにも係わらず、多種の入力表示要求に応えることが出来る。
【図面の簡単な説明】
【００４２】
【図１】本発明の実施形態に係わる実施例で、インクジェット記録装置の制御回路のブロック図。
【図２】本発明の実施形態に係わる実施例で、インクジェット記録装置のインク噴出機構の概要を示す図。
【図３】本発明の実施形態に係わる実施例で、操作表示パネルの画面表示を示す図。
【図４】本発明の実施形態に係わる実施例で、操作表示パネルの文字画面表示を示す図。
【図５】本発明の実施形態に係わる実施例で、操作表示パネルの記号画面表示を示す図。
【図６】本発明の実施形態に係わる実施例で、操作表示パネルの二桁数字画面表示を示す図。
【図７】本発明の実施形態に係わる実施例で、操作表示パネルの日付画面表示を示す図。
【符号の説明】
【００４３】
２０…被印字物、２７…ノズル、２３…帯電電極と、２８…偏向電極、４０…操作表示パネル、１…全体制御部、４０Ａ…一括表示／モード表示タッチ入力画面領域、４０Ｂ…運転指示表示タッチ入力画面領域。
【図１】
2005305896.tif 000003
【図２】
2005305896.tif 000004
【図３】
2005305896.tif 000005
【図４】
2005305896.tif 000006
【図５】
2005305896.tif 000007
【図６】
2005305896.tif 000008
【図７】
2005305896.tif 000009